(57)【要約】【解決手段】チモト部、軸部、湾曲部、針先部を備えた釣針において、前記湾曲部の内側の面と外側の面がほぼ平坦になるように形成されており、湾曲部の外側の面には凸型の補強部が設けられている。また、湾曲部の内側の面には溝部が設けられている。【効果】湾曲部の内側の面が平坦になるように形成されているから、針先から通した餌が湾曲部の内側の面の平坦面に接するため外れにくく、ネリエサが針から外れても溝部に残る効果がある。また、魚が釣針に食いついた後、釣針を強引に引き上げても、湾曲部の内側の面が平坦になっていることから魚の口もとを傷付けにくい。外側の面に補強材が設けられていることや溝部の凹凸がリブのような役割を果たし、湾曲部と針先部が外側に拡がろうとする引っ張り力に対して、強い構造となっている。【選択図】　図１
2004121204.tif 000002
【特許請求の範囲】
【請求項１】
チモト部を上端に有する軸部に続いて前方に湾曲する湾曲部を備え、その先端に鋭利に突出する針先とその内奥にカエシを有する針先部を備えた釣針において、少なくとも前記湾曲部の内側の面と外側の面がほぼ平坦になるように形成されており、少なくとも湾曲部の外側の面には補強部が設けられていることを特徴とする釣針。
【請求項２】
少なくとも湾曲部に設けられている補強部は、平坦に形成された湾曲部の外側の面であって、その軸芯に対して中央部分に設けられており、軸部から針先部に至るまでの湾曲部間において、凸状に隆起させて形成されていることを特徴とする請求項１記載の釣針。
【請求項３】
内側の面と外側の面が平坦面となる湾曲部の左右両面が円弧状に形成されており、その曲率半径は、軸部の軸心からの曲率半径よりも大きいことを特徴とする請求項１または２のいずれかに記載の釣針。
【請求項４】
ほぼ平坦に形成された湾曲部の内側の面は、凹状の溝部が少なくとも一つ以上、形成されていることを特徴とする請求項１または３に記載の釣針。
【発明の詳細な説明】
【０００１】
【発明の属する技術分野】
本発明は主に釣針の湾曲部の形状に関するものである。
【０００２】
【従来の技術】
従来から使用されている一般的な釣針は、チモト部を上端に有する直線状の軸部に続いて前方に湾曲する湾曲部を備え、その先端に突出する針先とその内奥にカエシを有する針先部を備えている。
また、釣針の軸部や湾曲部を変形させたものとして、複数の先行技術文献がある。（例えば特許文献１、特許文献２、特許文献３参照）
【０００３】
【特許文献１】
実開昭６２−６０１８０号公報（第１頁、第１−５図）
【特許文献２】
特開平１１−１６４６３４号公報（第２−３頁、第２図、第５−６図）
【特許文献３】
特開２００１−１１２３７６号公報（第２−３頁、第１−１０図）
【０００４】
そもそも釣針の部分的形状を決定する理由としては、針の強度や引っ張り強さ、餌を針へ通し易くしたり、保持し易くするため、あるいは、引っ掛かった魚が針から抜けないようにするため等が考えられる。
しかし、特許文献１に記載の技術はフトコロ部の断面形状が三角形になっており、その部分における左右両側面の強度を十分に保持し得ない。また、特許文献２に記載の技術も主に下方への引っ張りに対して十分な強度を有していない。さらに、特許文献３に記載の技術も、餌を保持しにくいなどの点で問題があった。
【０００５】
【発明が解決しようとする課題】
そこで、本発明にかかる釣針は、餌を針へ通し易くしたり保持し易くするため、また、引っ掛かった魚が針から抜けないようにする等、不必要に魚を傷つけることなく、引っ張り力に対して十分な強度を有するようにしたものである。
【０００６】
【課題を解決するための手段】
よって、本発明の釣針は、チモト部を上端に有する軸部に続いて前方に湾曲する湾曲部を備え、その先端に鋭利に突出する針先とその内奥にカエシを有する針先部を備えた釣針において、前記湾曲部の内側の面と外側の面がほぼ平坦になるように形成されており、少なくとも湾曲部の外側の面には補強部が設けられていることを特徴とするものである。
【０００７】
ここに、「ほぼ平坦になる」の概念は、前記湾曲部の内側の面と外側の面が真に直線状の平坦な面になる場合のみならず、緩やかな円弧面になる場合を含む。つまり、軸部が太い場合や軸部の断面形状が円形の場合において、軸部の太さや軸部の断面形状が円形の場合の曲率半径に比べて、該湾曲部の内側の面と外側の面における円弧面の曲率が大きいために、該湾曲部の内側の面と外側の面がほぼ平坦に見えるような円弧面となっている場合も「ほぼ平坦になる」の概念に含まれる。
【０００８】
これにより、湾曲部の内側の面が平坦になるように形成されているから、針先から通した餌が湾曲部の内側の面の平坦面に接するため外れにくい。そのうえ魚が釣針に食いついた後、釣針を強引に引き上げても、湾曲部の内側の面が平坦になっているから魚の口もとを傷付けにくい。
また、湾曲部の外側の面に補強部が設けられているから、湾曲部と針先部が外側に拡がろうとする引っ張り力に対して、強い構造となっている。
【０００９】
また、少なくとも湾曲部に設けられている補強部は、平坦に形成された湾曲部の外側の面であって、その軸芯に対して中央部分に設けられており、軸部から針先部に至るまでの湾曲部間において、凸状に隆起させて形成されていることが好ましい。
【００１０】
そもそも魚釣りにおいては、針先を魚の口元や体の一部に引っ掛けて吊り上げるのに対し、魚はその吊り上げ方向と反対方向に逃げていこうとすることが多く、結果的に釣針には下向きに大きな力がかかる。
ところが、本発明の釣針では平坦面となっている湾曲部の外側の面に凸状の補強部が設けられているから、釣針に掛かる下向きの大きな引っ張り力に対して、強い構造となっている。
【００１１】
また、内側の面と外側の面が平坦面となる湾曲部の左右両面が円弧状に形成されており、その曲率半径は、軸部の軸心からの曲率半径よりも大きいことが好ましい。
【００１２】
これにより、湾曲部の断面形状は軸部の軸心に対して左右方向に長い小判型の形状を有することになる。
また、この小判型の形状は左右方向からの外力にも強い形状であるため、釣針が横方向の引っ張り力などの外力を受けた場合でも、十分に耐え得る構造となっている。
【００１３】
また、ほぼ平坦に形成された湾曲部の内側の面は、凹状の溝部が少なくとも一つ以上、形成されていることが好ましい。
これにより、湾曲部の内側の面には溝部の形成によって凹凸ができることになり、この凸型の部分が湾曲部の内側の面を補強するリブのような役割を果たすことになるため、前方に針先部を湾曲させた釣針において、針先部を後方に引っ張る力に対して強くすることができる。
また、一つないしは複数の溝部が形成されているために、ネリエサを釣針に取り付けた場合にネリエサが溝部に入り込み、ネリエサが釣針から崩れ落ちても溝部にネリエサの一部が入り込んで残るために、魚をおびき寄せることができる。
【００１４】
【発明の実施の形態】
本発明の釣針の一例を図面に沿って説明する。
図１は本発明の釣針の一例を示す斜視図、図２はその側面図、図３はその背面図である。
ここに示す釣針１は、上端にチモト部２を有する軸部３に続いて、前方に湾曲する湾曲部４を備え、その先端に鋭利に突出する針先とその内奥にカエシを有する針先部５を備えたものである。チモト部２とはハリス６を結ぶ部分のことであり、種目型、丸型、管付型のものがあるが図１では丸型のものを用いている。ハリス６とは釣針１に直接結びつける釣り糸のことである。軸部３とはチモト部２から湾曲部４にかけてほぼ直線状になっている部分をいう。湾曲部４とは軸部３に続いて前方に屈曲させて湾曲している部分をいう。針先部５とは釣針１の先が鋭利に突出する針先を有し、針先の内奥に一部突出するカエシを有する部分をいう。
【００１５】
従来の釣針は軸部、湾曲部、針先部がいずれも断面形状がほぼ真円形であったため、素材を厳選し、焼き戻し、焼きなまし等の成型加工を行っても、十分な強度をもち得なかったり、針先に餌を取り付けた場合に餌が針から抜け落ちるなどの問題があった。
これに対して本発明では外力に対して、十分な強度をもち得るのみならず、魚の口もとを必要以上に傷めず、針先に取り付けられた餌が抜け落ちにくくなるよう湾曲部４に工夫がなされている。
すなわち、湾曲部４の内側の面８と外側の面９は平坦な面になっている。軸部３と湾曲部４の断面形状は図４に示す通りである。
ここに、湾曲部４の内側の面８、外側の面９とは、上端にチモト部２を有する軸部３に続いて前方に湾曲させた部分におけるの内側と外側に位置する表面、つまり軸部３に続く部分から針先部５に至るまでの間を湾曲させたときの上側にくる面と、下側にくる面である。
このように、平坦面である内側の面８と外側の面９は軸部３に続くところから針先部５に至るまでの間の湾曲部４に形成されている。
したがって、平坦な内側の面８と外側の面９の始端部では、図４に示すように、軸部３に続いて前方に湾曲する上側の面が外側の面９となり、その反対側の下側の面が内側の面８となる。
【００１６】
一方、平坦な外側の面９と内側の面８は、針先部５に至るまで、すなわち、針先部５に設けられている針先やその内奥に位置するカエシの手前までの湾曲部間に形成され、その途中の屈曲変更点より先側では上側と下側の位置関係が逆になる。そして、針先部５の手前では、図５に示すように、湾曲して軸部３と向き合っている内側の面８が上側に位置し、その反対側の外側の面であって釣針１の前方に相当する面が下側に位置することになる。
ここに例示する湾曲部４の断面形状は内側の面８、外側の面９が平坦であり、左右両側面が円弧状に形成された小判型形状を有するものである。
平坦面は、前記湾曲部４の内側の面、外側の面が真に直線状の平坦な面になる場合のみならず、緩やかな円弧面になる場合をも含む。つまり、軸部が太い場合や軸部の断面形状が円形の場合において、軸部の太さや軸部の断面形状が円形の場合の曲率半径に比べて、該湾曲部４の内側の面８と外側の面９における円弧状の曲率半径が大きいために、該湾曲部４の内側の面８と外側の面９がほぼ平坦に見えるような円弧面となっている場合も含まれる。
図４、図５は内側の面８、下側の面９がともに平坦な場合を示すが、内側の面８、外側の面９が外側に膨らむ円弧面であっても、内側にくぼむ円弧面であってもよい。要は、軸部３の太さや軸部３の断面円形の曲率半径に比べて、内側の面８と外側の面９の円弧面の曲率半径が大きいために、ほぼ平坦に見えるような円弧面となっておれば、円弧面であっても平坦な面の概念に含まれる。
図６では、内側の面８と外側の面９がともに外側に膨らむ円弧面となっており、図７では、内側の面８と外側の面９が内側にくぼむ円弧面となっているが、両図とも内側の面８と外側の面９の円弧面の曲率半径が軸部３の曲率半径よりもはるかに大きいために、２つの面８、９はいずれもほぼ平坦面に見える。
【００１７】
従来の場合における軸部の断面形状はほぼ真円形であったのに対し、本発明の場合における湾曲部４の断面形状は小判型である。ここに小判型とは、図４に示すように、軸部３及び湾曲部４を断面した場合における中心点すなわち軸芯をＺとすると、軸芯Ｚから円弧面である左右両面までの距離Ｘが軸部３の半径Ｙよりも大きく、逆に、湾曲部４における平坦面である内側の面８、外側の面９までの距離Ｗが、軸部３の半径Ｙよりも小さい場合をいう。
【００１８】
湾曲部４における内側の面８が平坦面となっているため、釣針１に餌７を取り付けた場合において、餌７が釣針１から抜け落ちにくい。
餌７は針先部５から湾曲部４さらには軸部３に至るあたりまで差し込んで固定する。餌には子エビ、キジ、ネリ餅、イクラ等、対象魚によって異なる。子エビを餌７として使用した場合を図９に示す。
餌７を釣針１につけた図９において、魚に引っ張られると、あるいは、餌自身の重みにより、餌は同図矢印で示すように下方に向けて力がかかるが、釣針１の湾曲部４の内側の面８が平坦面となっていることで、餌７が抜け落ちにくい。
【００１９】
また、図８に示すように、餌７付きの釣針１に魚が食い付くと、それまで垂らしていた釣針１を引き上げ、魚を吊り上げることができる。その場合において、その引き上げを強引にすると、釣針で魚の口もとを必要以上に傷付けてしまうことになる。
ところが、本発明においては、湾曲部４の内側の面８が平坦になっているから、内側の面が円弧面となっている従来の釣針や角張った釣針にくらべて、魚の口もとにあたる釣針の断面積が大きいため、魚の口もとにかかる釣針からの引っ張り力が分散される。これにより、必要以上に魚の口もとを傷つけることがなくなる。
【００２０】
そして、湾曲部４の外側の面９には補強部１０が設けられている。補強部１０は図４に示すように、湾曲部４の中心点すなわちその軸芯Ｚからみて中央部分に凸状の形態で形成されている。凸状の補強部１０の幅は外側の面９の平坦面のほぼ３分の１程度である。補強部１０の高さは幅の約３分の１程度である。但し、この場合のみに限定されるものではない。
補強部１０は湾曲部４全体にわたって設けられているのが好ましいが、図１０に示すように不連続に補強部１０が設けられていてもよい。
また、補強部１０は湾曲部４全体にわたって設けられているのみならず、軸部や針先部の一部にまで設けられていてもよい。
【００２１】
魚がヒットした場合、釣針１には図８に示すように、下方への引っ張り力が作用する。この力に対して湾曲部４の外側の面９に凸状の補強部１０を設けておくことにより、下方への引っ張り力に対して湾曲部４に十分な耐久性を持たせることができる構造となっている。
また、同様に湾曲部４は小判型であるため、左右両側の円弧面の凸部分が補強材の役割を果たし、左右両側への引っ張り力があった場合にも十分対応できる。このように、この釣針１は内側の面９が平坦である一方、左右両面と外側の面が、外側に突出する断面略Ｔ字型形状となっていて、耐久性に優れた構造となっている。
【００２２】
また、図１１に示す釣針１には、内側の面８に溝部１１が設けられている。これは、例えば内側の面８と外側の面９をプレス加工により形成する際に、プレス金型に溝部を形成しておくだけで、プレス加工と同時に形成することができるが、他の製造方法で形成してもよい。溝部１１は少なくとも一つ以上形成されておればよい。図１１に示す場合には、複数の溝部１１が形成されている。図１２は図１１に示す釣針のＣ−Ｃ線拡大断面図である。図１３は釣針１の上方から湾曲部４の内側の面８を見た場合、すなわち、図１１においてＤ方向からみた場合の平面図である。
【００２３】
複数の溝部１１は、図１３（ａ）に示すように釣針１の上方からみると、釣針１の長手方向に形成されている。その他の例として、図１３（ｂ）に示すように、湾曲部４の内側の面８に一つだけ溝部１１を形成してもよく、また、図１３（ｃ）に示すように、湾曲部４の長手方向と一定の角度をもった方向に放射状に形成してもよい。なお、溝部１１の形態はこれらの場合に限られるものではなく、他の形態であってもよい。ただし、湾曲部４の長手方向と直交する方向に溝部１１を形成すると、釣針１に図８に示すように魚が食い付いたことにより釣針の針先部５、湾曲部４を下向きに引っ張る力が生じた時に、湾曲部の溝部に応力が集中するために、湾曲部４が溝部１１から破断する。したがって、溝部１１は湾曲部４の長手方向と直交する方向に形成しないようにすべきである。
【００２４】
溝部１１を形成することによって、湾曲部４の内側の面８には凹凸ができ、湾曲部４を下向きに引っ張る力に対して、凸型の形状がリブの役割を果たす。これにより、少なくとも一本以上の溝部１１を形成することによって、釣針１を下向きに引っ張る力に対しても、強い構造をもつ釣針とすることができる。
【００２５】
【発明の効果】
請求項１記載の発明によれば、湾曲部の内側の面が平坦になるように形成されているから、針先から通した餌が湾曲部の内側の面の平坦面に接するため、外れにくい。そのうえ魚が釣針に食いついた後、釣針を強引に引き上げても、湾曲部の内側の面が平坦になっていることから魚の口もとを傷付けにくい。
また、外側の面に補強材が設けられているから、湾曲部と針先部が外側に拡がろうとする引っ張り力に対して、強い構造となっている。
【００２６】
請求項２記載の発明によれば、平坦面となっている湾曲部の外側の面に凸状の補強材が設けられているから、釣針に掛かる下向きの大きな引っ張り力に対して、強い構造となっている。
【００２７】
請求項３記載の発明によれば、湾曲部の断面形状は軸部の軸芯に対して左右方向に長い小判型を有しており、また、この小判型の形状は左右方向からの外力にも強い形状であるため、釣針が横方向の引っ張り力などの外力を受けた場合でも、十分に耐え得る構造となっている。
【００２８】
請求項４記載の発明によれば、湾曲部の内側の面に溝部の形成による凹凸ができることになり、この凸型の部分が湾曲部の内側の面を補強するリブのような役割を果たすことになるため、前方に針先部を湾曲させた釣針において、針先部を後方に引っ張る力に対して強くすることができる。
また、一つないしは複数の溝部が形成されているために、ネリエサを釣針に取り付けた場合にネリエサが溝部に入り込み、ネリエサが釣針から崩れ落ちても溝部にネリエサの一部が入り込んで残るために、魚をおびき寄せることができる。
【図面の簡単な説明】
【図１】図１は本発明の釣針の一例を示す斜視図である。
【図２】図２は本発明の釣針の一例を示す側面図である。
【図３】図３は本発明の釣針の一例を示す背面図である。
【図４】図４は図２におけるＡ−Ａ線断面図で、湾曲部の内側の面と外側の面がともに平坦である場合を示す。
【図５】図５は図２におけるＢ−Ｂ線断面図で、湾曲部の内側の面と外側の面がともに平坦である場合を示す。
【図６】図６は図２におけるＡ−Ａ線断面図であって、内側の面と外側の面がともに外側に膨らむ円弧面をなっている場合を示す。
【図７】図７は図２におけるＡ−Ａ線断面図であって、内側の面と外側の面が内側にくぼむ円弧面となっている場合を示す。
【図８】図８は釣針に魚が食いついている場合において、釣針が下方に引っ張られる状態を示す図である。
【図９】図９は餌である子エビを釣針に取り付けた状態を示す側面図である。
【図１０】図１０は補強部が不連続に設けられた状態の一例を示す側面図である。
【図１１】図１１は本発明の釣針の他の一例を示すものであって、湾曲部の内側の面に溝部を形成した斜視図である。
【図１２】図１２は図１１におけるＣ−Ｃ線断面図である。
【図１３】図１３は図１１におけるＤ方向から釣針の湾曲部を見た平面図である。
【符号の説明】
１…釣針
２…チモト部
３…軸部
４…湾曲部
５…針先部
６…ハリス
７…餌
８…内側の面
９…外側の面
１０…補強部
１１…溝部
【図１】
2004121204.tif 000003
【図２】
2004121204.tif 000004
【図３】
2004121204.tif 000005
【図４】
2004121204.tif 000006
【図５】
2004121204.tif 000007
【図６】
2004121204.tif 000008
【図７】
2004121204.tif 000009
【図８】
2004121204.tif 000010
【図９】
2004121204.tif 000011
【図１０】
2004121204.tif 000012
【図１１】
2004121204.tif 000013
【図１２】
2004121204.tif 000014
【図１３】
2004121204.tif 000015